(57)【要約】      （修正有）【課題】構造が簡単で、操作しやすい小型のマグネットキャッチを提供する。【解決手段】内周に内周螺旋１４と突起１５を有し、ネジにより固定が可能な取付ベース１３と、外周に外周螺旋１６と交差する位置固定凹部１７を有するボディケース６と、突出位置と収納位置とにわたって、ボディケース６内に突出収納が自在に装着されたホルダー７と、ホルダー７を突出位置と収納位置とに交互に位置切替する位置切替回転コマ１０と、ホルダー７の前端部の両側に固定され、突端がホルダー７の前部に露出した磁気を帯びた1対のヨーク８と、1対のヨーク８に着磁させるための磁石９と、相対物に設置する帯磁材質い磁力を帯びたヨーク８を着磁する吸着板を備えた。【選択図】図２
0003161756.tif 000002
【実用新案登録請求の範囲】
【請求項１】
取付ベースは内周に内周螺旋と突起を有し左右に突出状に延び、ネジにより固定が可能な鍔部を形成し、外周に外周螺旋と交差する位置固定凹部を有する前端が開口したボディケースと前記ボディケース内に収納した収納位置とボディケースから前方へ突出した突出位置とにわたってボディケース内に突出収納が自在に装着されたホルダーと前記ホルダーを収納位置よりも後方の解除位置に押出操作する毎に、ホルダーと突出位置と収納位置とに交互に位置切り替えする位置切替回転コマによる手段と、前記ホルダーの前端部の両側に固定され、突端がホルダーの前部に露出した磁気を帯びた１対のヨークと、略全体が１対のヨークの間に位置する１対のヨークに着磁するホルダー内に装着された磁石と、ホルダーを収納位置に保持した状態で、磁気を帯びたヨークとホルダーをコイルバネの反力の突出速度により突出位置にて吸着板より脱磁するホルダーを備えたことを特徴とするマグネットキャッチ。
【請求項２】
請求項１記載の取付ベース内周に内周螺旋及びボディケース外周に外周螺旋により無段階に前後調節及び位置固定凹部を設けたことを特徴とする請求項１記載のマグネットキャッチ。
【請求項３】
請求項１記載の位置切替回転コマをホルダーに嵌合させ、ホルダーの収納位置着磁時にホルダーと位置切替回転コマを勘合し遊びを最小限に留めたことを特徴とする請求項１又は請求項２記載のマグネットキャッチ。
【考案の詳細な説明】
【技術分野】
【０００１】
構造が簡単で組立性も良く、吸着力の切替が円滑な小型マグネットキャッチを提供する。
【背景技術】
【０００２】
キャビネットの開閉扉を閉位置に保持するのに好適なマグネットキャッチに関する。
【０００３】
キャビネット等において開閉扉の遊端部に磁性体を帯びることのできる吸着板を固定し、キャビネット本体に吸着板に対応させてマグネットキャッチを設け、マグネットキャッチにより吸着板を吸着保持させて、開閉扉を閉位置に保持するように構成したものが多く採用されている。
【０００４】
通常マグネットキャッチは、前端が開口したボディケースと、ボディケース内に前後移動自在に装着されたホルダーと、ホルダーを後方へ操作する毎に、ボディケース内に
収納した収納位置とボディケースから前方へ突きだした突出位置とにホルダーを交互に位置切替自在に保持する位置切替手段と、ホルダーの前半部の両端に固定され、前端がホルダーの前側に露出した磁性体からなる1対のヨークと、1対のヨーク間においてホルダー内に装着された磁石とを備え、ホルダーを突出位置に移動させることで、開閉扉が多少開かれて、手指で開閉扉を容易に開閉操作し得るように構成されている。
【考案の概要】
【考案が解決しようとする課題】
【０００５】
従来のマグネットキャッチは、ネジ等により設置固定された後の設置性に誤差が生じ、1対のヨークに帯磁した吸着面が、開閉扉の遊端部に吸着のための吸着性能が発揮できない場合、その固定を外し再度設置し吸着性能を確保することととなり、キャビネット等における取付面への損傷及び、設置における組み付け作業性が煩雑になったりすることは避けられない。
【０００６】
従来のマグネットキャッチは、キャビネット等における開閉扉の遊端部に磁性体を帯びることのできる吸着板の吸着性を確保するために、ヨークに帯磁させる帯磁構成部品としてフェライト系磁石を使用しており、そのフェライト系磁石の磁力線による性能を確保するには、フェライト磁石の相当の外形形状が有する磁力線に有限であり、その外形形状によってマグネットキャッチの製品外形形状にも有限が発生し、マグネットキャッチの小型化が困難であった。
【０００７】
従来のマグネットキャッチは、スライドに係わる構造として習い溝およびその習い溝に摺動するピンにてホルダーのスライドおよび位置切替を決定し、かつ、習い溝を形成する形状によってその構成上、マグネットキャッチの外径形状が制約され、既存のマグネットキャッチにおける習い溝、習い溝カムによる部品構成も多く、小型化が困難であった。
【０００８】
本考案の目的は、構造が簡単で、操作性、設置性も良く、簡易な構造で吸着面の性能が十分発揮できるような小型マグネットキャッチを提供することである。
【課題を解決するための手段】
【０００９】
取付ベースは内周に内周螺旋と突起を有し左右に突出状に延び、ネジにより固定が可能な鍔部を形成し、外周に外周螺旋と交差する位置固定凹部を有する前端が開口したボディケースと前記ボディケース内に収納した収納位置とボディケースから前方へ突出した突出位置とにわたってボディケース内に突出収納が自在に装着されたホルダーと前記ホルダーを収納位置よりも後方の解除位置に押出操作する毎に、ホルダーと突出位置と収納位置とに交互に位置切り替えする位置切替回転コマによる手段と、前記ホルダーの前端部の両側に固定され、突端がホルダーの前部に露出した磁気を帯びた１対のヨークと、略全体が１対のヨークの間に位置する１対のヨークに着磁するホルダー内に装着された磁石と、ホルダーを収納位置に保持した状態で、磁気を帯びたヨークとホルダーをコイルバネの反力の突出速度により突出位置にて吸着板より脱磁するホルダーを備えたことを特徴とするマグネットキャッチ。
【００１０】
請求項１記載の取付ベース内周に内周螺旋及びボディケース外周に外周螺旋により無段階に前後調節及び位置固定凹部を設けたことを特徴とする請求項１記載のマグネットキャッチ。
【００１１】
請求項１記載の位置切替回転コマをホルダーに嵌合させ、ホルダーの収納位置着磁時にホルダーと位置切替回転コマを勘合し遊びを最小限に留めたことを特徴とする請求項１又は請求項２記載のマグネットキャッチ。
【作用】
【００１２】
マグネットキャッチ５の作用について説明する。キャビネット１等に設置されたマグネットキャッチ５における扉の開位置及びマグネットキャッチ５の収納位置にある開閉扉２を展開するときには、開閉扉２とともにホルダー７をホルダー７の収納位置よりも後方の解除位置２８まで押し、即座に手を離すとコイルバネ１１の反力とホルダー７の突出速度により突出位置２９にて吸着板３より脱磁し、開閉扉２は扉の縁部を手で保持できる適度の空間を有し、また、開位置にある開閉扉２を格納するときは、開閉扉２とともに手で押し、ホルダー７の突出位置２９まで操作して、更に開閉扉２をホルダー７とともにそのまま押し操作し、位置切替回転コマ１０によりホルダー７を収納位置の谷部位置２７に保持させることで磁気を帯びたヨーク８の吸着力で吸着板３に吸着保持され、開閉扉２が閉位置に保持されることになる。
【００１３】
ホルダー７については、１対のヨーク８に接する磁石９と共に、ヨーク８に形成される固定用凸部３０とホルダー７に形成される固定用穴３１に圧入嵌合されるが、嵌合後においては１対のヨーク８及び磁石９はホルダー７内にて前後左右に移動自在に構成されていることによって、マグネットキャッチ５及び吸着板３をキャビネット１等に設置時のヨーク８吸着面と吸着板３の吸着面に相違が有したとしても、１対のヨーク８及び磁石９は前後左右に自在に移動することにより、吸着板３の吸着面に確実に吸着し、収納位置に置けるヨーク８の吸着力は十分に確保されることになり、この自在に前後左右の移動によりホルダー７と吸着板３の位置関係等による設置誤差も吸収する。
【００１４】
ホルダー７においては１対のヨーク８に接する磁石９として、吸着板３の吸着力を保持し、更にホルダー７と吸着板３の設置時における設置、設置誤差を考慮し、設置易さを向上させるため、ホルダー７に構成される磁力を帯びた１対のヨーク８性能を確保すると共に１対のヨーク面積を小型化することを考慮し、過去の技術に構成されるフェライト磁性体等からフェライト磁性体と同磁力線を有した磁石９の小型化が可能となるネオジウム磁性体等を構成することによってホルダー７の小型化が達成されると共に、ホルダー７の小型化に準じマグネットキャッチ５の小型化が達成され、キャビネット１等にマグネットキャッチ５を設置時によるキャビネット１等の開閉扉２の開口部における開口面のマグネットキャッチ５の突起感を払拭できる。
【００１５】
取付ベース１３は略円筒状の内周に内周螺旋１４と突起１５を有し左右に突出状に延びる鍔部１８を形成し、外周に外周螺旋１６と交差する位置固定凹部１７を有するボディケース６を取付ベース１３の略円筒状の内周の内周螺旋１４に装着し構成され、ボディケース６を回転させることによりボディケース６が取付ベース１３に対して回転前後方向に移動でき、ボディケース６の外周に外周螺旋１６と交差する位置固定用凹部１７と、取付ベース１３の突起１５が嵌合する。
【００１６】
マグネットキャッチ５は、図２〜図５に示すように、前端が開口した略円筒のボディケース６と、ボディケース６に収納した収納位置（図３、図４参照）とボディケース６から前方へ突出した突出位置（図５参照）とにわたってボディケース６内に突出収納が自在に装着されたホルダー７とホルダー７を収納位置よりも後方の解除位置（図６参照）に押し操作する毎に、ホルダー７と突出位置と収納位置とに交互に位置切替する位置切替回転コマ１０と、ホルダー７の前端部の両側に固定され、突端がホルダー７の前部に露出した磁気を帯びた１対のヨーク８と、略全体が1対のヨークの間に位置する（図４参照）1対のヨーク８に接するホルダー７内に装着された磁石９と、ホルダー７を収納位置に保持した状態で、磁気を帯びたヨーク８を着磁位置に保持し、ホルダー７を突出位置に保持した状態で、磁気を帯びたヨーク８を突出速度により突出位置にて吸着板３より脱磁するホルダー７とを備えている。
【００１７】
位置切替手段について説明すると、図２〜図６に示すように、ホルダー７の後端部近傍部は三角波状の三角環状形状２０と周方向に形成される突部２０が形成され、位置切替回転コマ１０の周方向に形成される突部端面２２にホルダー７後端部近傍の三角環状形状２０と同等に形成された斜辺形状２５が摺動装着され、ボディケース６内周に形成された凹部２３へホルダー７の周方向に形成される突部２１と位置切替回転コマ１０の周方向に形成される突部２４が装着され、ホルダー７の突出位置においては、位置切替回転コマ１０周方向に形成される突部２４の突部端面２２に形成された斜辺形状２５はホルダー７の後部近傍付近に三角波状に形成される三角環状形状２０の端部斜辺に中央近傍２６で装着され、位置切替回転コマ１０後端部とボディケース６後端部に嵌合されるフタ１２に装備されるコイルバネ１１の反力により、ホルダー７後部近傍付近に形成される三角環状形状２０と位置切替回転コマ１０の周方向に形成される突部端面２２に形成された斜辺形状２５はホルダー７の後部近傍付近に三角波状に形成される三角環状形状２０の端部斜辺中央近傍２６に摺動接触し常に回転モーメントが発生し、位置切替回転コマ１０に回転させる作用を発生させる。
【００１８】
収納手段について説明すると、図２〜図６に示すように、ホルダー７の収納位置においては、位置切替回転コマ１０の周方向に形成される突部２４がホルダー７をボディケース６の内周にのこぎり波形状に成形される後端の先端山部位置１９より解除される収納位置よりも後方の解除位置２８（図６参照）に押し操作する毎に、ホルダー７を収納位置と突出位置とに交互に位置切替えする切替手段の山部１９に位置切替回転コマ１０の突部端面２２に形成される斜辺形状２５がボディケース６の内周にのこぎり波形上に形成される後端の山部位置１９より後方に押し操作され、位置切替回転コマ１０は後端部とボディケース６後端部に嵌合されるフタ１２に装備されるコイルバネ１１の反力により、常に回転モーメントが発生することにより、位置切替回転コマ１０の突部端面２２に形成される斜辺形状２５がボディケース６の内周にのこぎり波形状に形成される後端の山部位置１９を越え、谷部位置２７に制御されることによりホルダー７は収納位置（図３）に位置決め装着される。
【００１９】
収納位置解除手段について説明すると、図２〜図６に示すように、ホルダー７に嵌合した位置切替回転コマ１０とコイルバネ１１は、位置切替回転コマ１０とホルダー７とホルダー７の周方向に形成される突部２１によってボディケース６内周に形成された凹部２３に摺動装備され、突出位置においては、位置切替回転コマ１０は略ホルダー７後端部三角環状形状２０及び位置切替回転コマ１０突出部端部斜辺形状２５により、位置切替回転コマ１０は常に回転モーメントを発生するが、前述のボディケース６内周に形成された凹部２３により、位置切替回転コマ１０に発生する回転モーメントはボディケース６内筒に形成される凹部２３により位置切替回転コマ１０は制御され、突出位置より装備されたホルダー７前端部を押し操作することにより、ボディケース６内周に装備された位置切替回転コマ１０の周方向に形成される突部端部２２に形成される斜辺形状２５先端は、ボディケース６内周に形成された凹部２３を摺動し、ボディケース６内周にノコギリ波形状に形成される三角状の斜辺突端１９を越えると、ホルダー７後端部と位置切替回転コマ１０コイルバネ１１の反力によって発生する回転モーメントにより、ボディケース６内周に形成されるノコギリ波に形成される三角状の斜辺谷部位置２７に、位置切替回転コマ１０の周方向に形成される突部端部２２が固定制御され、ホルダー７の収納位置が制御される。
【考案の効果】
【００２０】
本考案に係わるマグネットキャッチによれば、キャビネット等の開閉扉の扉の閉時によるマグネットキャッチの収納位置において開閉扉の遊端部に有する吸着板及びマグネットキャッチ本体に構成されるホルダー先端部のヨークに帯磁する吸着力が常に適正な吸着能力を確保するための設置時の位置調整機構を備えることで可能である。
【００２１】
また、吸着板に確実な吸着面積を確保するために、ホルダー及びヨークの面積を小さくするとともに、ヨークへの帯磁性能を確保するために、フェライト磁性体等からネオジウム磁性体へ移行することにより、磁性体の磁力性能を保ちつつ磁性体の体積をより小型化させ、磁性体の小型化に準じマグネットキャッチを小型に構成できる。
【００２２】
位置切替の構造については、従来のマグネットキャッチに有するスライドに係わる構造として習い溝およびその習い溝に摺動するピンにてホルダーのスライドおよび位置切替を決定し、かつ、習い溝を形成する形状によってその構成上、マグネットキャッチの外径形状が制約される。ここで、本発明のマグネットキャッチは、既存のマグネットキャッチにおける習い溝およびピンの代用として、略ボディケースに成形される形状と略位置切替回転コマに形成される形状によりスライド及び位置切替が可能であることにより、位置切替回転コマの任意の直径及びボディケース直径により、それを構成するマグネットキャッチの小型化が容易に構成することが可能となる。
【図面の簡単な説明】
【００２３】
【図１】キャビネットの鳥瞰図
【図２】マグネットキャッチの分解図
【図３】収納位置におけるマグネットキャッチの作動説明図
【図４】マグネットキャッチの要部縦断面図
【図５】突出位置におけるマグネットキャッチの作動説明図
【図６】ボディケースの展開図
【図７】参考図
【考案を実施するための形態】
【００２４】
以下、本考案の実施例について図面を参照しながら説明すると、本実施例はオーディオラック、収納棚等のキャビネットに本考案を適用したものであり、図１に示すようにキャビネット１には左右１対の開閉扉２が回転自在に支持され、左右の開閉扉２の遊端部の上端近傍部には磁性体からなる受け金具の吸着板３が取り付けられ、キャビネット１の吸着板３に対応する位置にはマグネットキャッチ５が取り付けられており、本実施例では、キャビネット１の天板４の下面にマグネットキャッチ５を左右両側へ突出状に延びる鍔部１８を設けて、この鍔部１８をネジ等でキャビネット１に固定してもよい。
【符号の説明】
【００２５】
１  キャビネット
２  開閉扉
３  吸着板
４  天板
５  マグネットキャッチ
６  ボディケース
７  ホルダー
８  ヨーク
９  磁石
１０  位置切替回転コマ
１１  コイルバネ
１２  フタ
１３  取付ベース
１４  内周螺旋
１５  突起
１６  外周螺旋
１７  位置固定凹部
１８  鍔部
１９  山部位置
２０  三角環状形状
２１  突部
２２  突部端面
２３  凹部
２４  突部
２５  斜辺形状
２６  中央近傍
２７  谷部位置
２８  解除位置
２９  突部位置
３０  固定用突部
３１  固定用穴
【図１】
0003161756.tif 000003
【図２】
0003161756.tif 000004
【図３】
0003161756.tif 000005
【図４】
0003161756.tif 000006
【図５】
0003161756.tif 000007
【図６】
0003161756.tif 000008
【図７】
0003161756.tif 000009
【手続補正書】
【提出日】平成22年3月2日(2010.3.2)
【手続補正１】
【補正対象書類名】実用新案登録請求の範囲
【補正対象項目名】請求項２
【補正方法】変更
【補正の内容】
【請求項２】
請求項１記載の前記取付ベース内周に内周螺旋及びボディケース外周に外周螺旋により無段階に前後調節及び位置固定凹部を設けたことを特徴とする請求項１記載のマグネットキャッチ。
【手続補正２】
【補正対象書類名】実用新案登録請求の範囲
【補正対象項目名】請求項３
【補正方法】変更
【補正の内容】
【請求項３】
請求項１記載の前記位置切替回転コマをホルダーに嵌合させ、ホルダーの収納位置着磁時にホルダーと前記位置切替回転コマを勘合し遊びを最小限に留めたことを特徴とする請求項１又は請求項２記載のマグネットキャッチ。
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
取付ベースは内周に内周螺旋と突起を有し左右に突出状に延び、ネジにより固定が可能な鍔部を形成し、外周に外周螺旋と交差する位置固定凹部を有する前端が開口したボディケースと前記ボディケース内に収納した収納位置とボディケースから前方へ突出した突出位置とにわたってボディケース内に突出収納が自在に装着されたホルダーと前記ホルダーを収納位置よりも後方の解除位置に押出操作する毎に、ホルダーと突出位置と収納位置とに交互に位置切り替えする位置切替回転コマによる手段と、前記ホルダーの前端部の両側に固定され、突端がホルダーの前部に露出した磁気を帯びた１対のヨークと、略全体が１対のヨークの間に位置する１対のヨークに着磁するホルダー内に装着された磁石と、ホルダーを収納位置に保持した状態で、磁気を帯びたヨークとホルダーをコイルバネの反力の突出速度により突出位置にて吸着板より脱磁するホルダーを備えたことを特徴とするマグネットキャッチ。
【請求項２】
前記取付ベース内周に内周螺旋及びボディケース外周に外周螺旋により無段階に前後調節及び位置固定凹部を設けたことを特徴とする請求項１記載のマグネットキャッチ。
【請求項３】
前記位置切替回転コマをホルダーに嵌合させ、ホルダーの収納位置着磁時にホルダーと前記位置切替回転コマを勘合し遊びを最小限に留めたことを特徴とする請求項１又は請求項２記載のマグネットキャッチ。